(57)【特許請求の範囲】
【請求項１】
地中の土留用残置杭の上端面に、この残置杭の長さ方向に沿う作業穴を穿孔する穿孔工程と、
前記作業穴の内部に高圧水供給管を差し込み、その先端に設けた高圧水噴出ノズルを高圧水供給管の軸心を中心として回転させながら、前記残置杭の外周方向に高圧水を噴出して残置杭の非鉄部分を破砕する高圧水噴出工程と、
高圧水噴出工程で残った残置杭の鉄部分をバーナで溶断して残置杭の上部を切断する溶断工程と、
切断した前記残置杭の上部を地上に取り出す上部除去工程と、からなる土留用残置杭の上部撤去工法において、
前記作業穴と同径であって、その中心に通孔を有するセンター位置保持板を前記作業穴の内部に挿入すると共に、
前記高圧水供給管を前記通孔に貫通してセンター位置保持板を前記高圧水噴出ノズル付近に位置させ、
これにより高圧水供給管を前記作業穴の中心軸線上に保持することを特徴とする土留用残置杭の上部撤去工法。
【発明の詳細な説明】
【技術分野】
【０００１】
本発明は、芯材に鉄筋や形鋼を使用したコンクリート（モルタルを含む）製の柱状物で
ある土留用残置杭の上部を撤去する工法に関する。
【背景技術】
【０００２】
地下鉄トンネルなどの地下構造物を開削工法で構築する際には、地下構造物の構築に先
立って、地下構造物の構築予定箇所の両側に、土砂の流出を防止するために土留壁を構築
する。この土留壁の構築方法に、土留用杭を一列に埋め込む柱列杭土留工法がある。この
土留壁を構成する土留用杭は、地下構造物構築後土留めの役割を終えてからも、地中に残
置した状態となるが、都市計画の変更等のため邪魔になり、上部だけでも撤去する必要が
生じる。このように、地中の残置杭の上部を撤去する必要がある場合は、しばしば生じう
る。
【０００３】
このような撤去工事は交通事情等に配慮して一般に夜間に行われるため、周辺住民に影
響を与えないように、騒音と振動を可能な限り抑えることが求められている。また都市部
の地下には、上下水管、ガス管のほかに光ファイバーケーブルに代表される通信ラインな
どの地下埋設物が多くあり、撤去工事はそれらを避けながら行う必要があると共に、コス
ト削減等のため土留用残置杭周辺の作業空間の掘削面積をできるだけ少なくすることが求
められている。
【０００４】
従来このような工事は、主にパワーショベル等で土留用残置杭の周りを掘り、その上部
を露出した状態で、コンクリートブレーカで土留用残置杭のコンクリートを破砕し、さら
に残った鉄筋部分をガス切断するという手順で行われていた。しかし、この従来工法の場
合、防音パネル等を設置しても騒音や振動を低減することに限界があり、また粉塵の発生
などで作業環境が悪く作業効率が落ちるという問題や、土留用残置杭周辺の作業空間の掘
削面積が広く地下埋設物を損傷するリスクが高いという問題があった。
【０００５】
また他の方法として、ワイヤーソーを用いて土留用残置杭の上部撤去部分を切断撤去す
る工法もある（特許文献１）が、この工法の場合土留用残置杭撤去部分を完全に露出する
必要があり、そのために広い作業空間が必要で、柱状物周辺に埋設物があると作業空間の
確保が困難で、工事自体が施工不可能になることもあった。
【先行技術文献】
【特許文献】
【０００６】
【特許文献１】特開２００３−１５５７４６号公報
【発明の概要】
【発明が解決しようとする課題】
【０００７】
本発明が解決しようとする課題は、このような従来工法の問題点を解消することにある
。  すなわち、コンクリートブレーカ等による工法に伴う騒音や振動の発生、作業環境が
劣悪による作業効率低下、土留用残置杭周辺の作業空間の掘削面積が広く必要とすること
から生じる地下埋設物損傷リスクという問題である。またワイヤーソーによる工法の場合
には、作業空間を確保するのに土留用残置杭撤去部分を完全に露出する必要があるという
問題、及び作業装置の関係上埋設物の位置によっては工事を施工することが不可能になる
という問題が本発明の解決課題である。
【課題を解決するための手段】
【０００８】
本発明では、上記課題を解決するために次の技術的手段を講じる。
すなわち、地中の土留用残置杭の上端面に、この残置杭の長さ方向に沿う作業穴を穿孔す
る穿孔工程と、
前記作業穴の内部に高圧水供給管を差し込み、その先端に設けた高圧水噴出ノズルを高圧
水供給管の軸心を中心として回転させながら、前記残置杭の外周方向に高圧水を噴出して残
置杭の非鉄部分を破砕する高圧水噴出工程と、
高圧水噴出工程で残った残置杭の鉄部分をバーナで溶断して残置杭の上部を切断する溶断
工程と、
切断した前記残置杭の上部を地上に取り出す上部除去工程と、からなる土留用残置杭の上
部撤去工法において、
前記作業穴と同径であって、その中心に通孔を有するセンター位置保持板を前記作業穴の
内部に挿入すると共に、
前記高圧水供給管を前記通孔に貫通してセンター位置保持板を前記高圧水噴出ノズル付近
に位置させ、
これにより高圧水供給管を前記作業穴の中心軸線上に保持する。
【０００９】
削除
【００１０】
削除
【００１１】
削除
【００１２】
削除
【発明の効果】
【００１３】
請求項１に記載の発明によれば、土留用残置杭に作業穴を穿孔し、この作業穴から高圧
水を外周方向に向けて噴出することにより、コンクリートブレーカに比較し騒音や振動を
低減できると共に、粉塵などの発生を抑制できるという効果がある。さらに残置杭を内側
から破壊するためワイヤーソーに比較し工事のための作業空間が狭くて足り、そのため埋
設物があっても工事の障害になるリスクが少なく結果的に工期の短縮や工事費用を抑える
ことが可能となるという優れた効果を奏する。
【００１４】
加えて、残置杭の非鉄部分を破砕する高圧水噴出工程と、前記残置杭の鉄部分を溶断す
る溶断工程と、の二つの工程があることにより、高圧水の中に鉄筋を切断するための砥粒
成分を含有させ、一工程で切断する場合と比較して、高圧水の水量を大幅に制限すること
が可能となり、残置杭がある土壌に与える影響を少なくすることができる。また、使用を
した排水の処理が容易になると共に、土留用残置杭周辺の埋設物損傷防止のための養生用
鉄板を堅牢にする必要がなくなり、養生のための工程が低減されるという効果がある
【００１５】
さらに、高圧水供給管をその軸線を中心に回転可能に設置しており、高圧水供給管を回
転させながら高圧水を噴出することができることにより、高圧水供給管を有する高圧水加
工装置を土留用残置杭の周りを移動させながら加工する必要が無くなり、コンクリート等
の破砕工程を効率よく行うことができる。また、放射状にどの方向に対しても同じ量のコ
ンクリート等を破砕することが可能となる。
【００１６】
また、高圧水供給管の回転をモータにより行うことにより、高圧水供給管を一定の回転
で高速回転させることが可能となり、土留用残置杭の全周に亘って均等にコンクリート等
を破砕できる。また、コンクリート等の破砕効率が一定であるため作業時間を管理すると
いう簡易な方法により作業量を正確に把握できるようになり、工程管理が容易になるとと
もに、供給する高圧水の水量を管理しやすくなり高圧水の水量を制限することができる。
【００１７】
また、高圧水供給管の先端を、高圧水供給管の軸線を中心として回転可能に設置し、そ
の先端を回転させながら高圧水を噴出することにより、高圧水供給管全体を駆動するため
の大きな出力の駆動装置が不要になる。特に高圧水供給管が長くなった場合に、システム
を簡易化できる。
【００１８】
これらに加えて、作業穴と同径のセンター位置保持板を作業穴の内部へ挿入すると共に、
そのセンター位置保持板の中心にある通孔に高圧水供給管を貫通して高圧水供給管が作業
穴の中心軸線上に位置することにより、高圧水の噴出箇所が１箇所である場合であっても、
高圧水の反力により噴出方向と反対側に曲げられることがなくなり、その寿命を確保する
ことができる。また、高圧水供給管の先端付近にセンター位置保持板を設けているので、
高圧水供給管の固有振動数を高くして、共振が生じるのを防止することができる。
【図面の簡単な説明】
【００１９】
【図１】本発明の一実施形態に係る土留用残置杭の作業穴を穿孔する穿孔工程を示した正面図である。
【図２】本発明の一実施形態に係る切断工程のうち、残置杭の非鉄部分を破砕する高圧水噴出工程を示した正面図である。
【図３】本発明の一実施形態に係る土留用残置杭に残存した鉄筋等を切断する溶断工程を示した正面図である。
【図４】土留用残置杭の埋設状況を示した上面図である。
【発明を実施するための形態】
【００２０】
上記技術思想に基づいて具体的に構成された実施の形態について以下に図面を参照し
つ説明する。
【００２１】
図４は土留壁を構成する土留用残置杭１ａ、１ｂが埋設された状態を、上方から見た図
である。ここで残置杭とは、芯材を鉄筋や形鋼とするコンクリート（モルタルを含む）か
らなる柱状の杭をいう。土留用残置杭１ａ、１ｂは直径４００ｍｍ、長さ１０ｍ以上のも
のが、一列に並んで埋設されている。土留用残置杭１ａの内部は、軸線方向に沿った長尺
の鉄筋２を主筋として土留用残置杭の円周の同周円上に等間隔に１０本配置すると共に、
軸方向に等間隔で円形の帯鉄筋２ａを用いて補助する構造としている。また、土留用残置
杭１ｂは、Ｈ形鋼５の周りをコンクリートで固めたもので、土留壁を構成する杭のいくつ
かは、より剛性の高いＨ形鋼を用いた土留用残置杭１ｂとする。このような構成とするこ
とで、土留壁全体の剛性を高めることができる。なお土留用残置杭１ａ、１ｂの断面形状
は円形となっているが、それに限らず四角形、六角形など多角形形状となっているものを
含む。
【００２２】
図１は、本発明の一実施形態に係る土留用残置杭１ａの作業穴３を穿孔する穿孔工程を
示した正面図である。例えば地下１ｍ前後にある土留用残置杭１ａの上端面４を、都市計
画の変更等により地下１．５ｍにする必要がある場合がある。このような工事の場合は、
図１にあるようにまず土留用残置杭の上端面を露出させるため、及び切断撤去作業の作業
空間確保のために、ショベル等により土留用残置杭１ａ、１ｂの列に倣って土留用残置杭
上端面４と同じ深さの溝を掘削する。このように都市部における工事の場合には埋設物の
関係で溝幅をできるだけ小さくすると共に、溝深さもできるだけ浅くする必要がある。
【００２３】
露出させた土留用残置杭１ａに隣接するように、ドリル本体１５を含む穿孔装置１００
を設置する。穿孔装置１００は、コラムベース１２にラック付きコラム１１を立設し、そ
のラック付きコラム１１にはドリル本体１５を固定したドリルキャリッジ１３が設けられ
、ハンドルによりドリルキャリッジ１３の位置を上下操作できるようになっている。ドリ
ル本体１５には作業穴３と同じ径のドリル用コア１４を取付けている。土留用残置杭１ａ
の直径が４００ｍｍであるので、穿孔する作業穴３の大きさは２００ｍｍ程度であること
が望ましい。
【００２４】
穿孔装置１００は、隣接した未施工の土留用残置杭１ａに固定金具（アンカーボルト等）
により固定する。
ドリル本体１５によりドリル用コア１４を回転させた後、ドリルキャリッジ１３のハ
ンドルを用いて作業者がドリルキャリッジ１３を下げることにより、ドリル用コア１４が
所定の作業穴３を穿孔するようになる。作業穴３の深さは、切断撤去する土留用残置杭の
長さよりも長くする必要がある。竪穴内部で高圧水を噴出するこの後の工程において、そ
の工程により生じる比重の大きいコンクリート破砕屑が、水の流れによっては排出できず
、一時的にその破砕屑を堆積させておく必要があるためである。切断撤去する長さの深さ
に加えて、コンクリート破砕屑の体積の1.3〜1.5倍を確保できる程度の深さを加えること
が望ましい。
【００２５】
作業穴３の穿孔工程は、筒状のドリル用コア１４を用いて行うことによりコンクリート
ブレーカを用いる工法よりも騒音振動が格段に低減される。夜間の都市部で行われる作業
においては振動対策を施すことは難しいが、本穿孔工程とすることにより振動を小さく抑
えることが可能となる。また、ドリルの作業部分に少量の冷却水を供給することによりド
リル用コア１４の長寿命化に加えて、粉塵の発生を抑えることも可能となる。加えて土留
用残置杭１ａの上面が露出しているだけで穿孔作業を行うことができるので、土留用残置
杭１ａの周辺への埋設物の有無にかかわらず作業を行うことができる。
【００２６】
なお、土留用残置杭１ａの場合は、作業穴３は土留用残置杭１ａの中心に１本穿孔する
が、Ｈ形鋼を用いた土留用残置杭１ｂの場合は、鉄骨が無い部分に２本穿孔する。
【００２７】
図２は、本発明の一実施形態に係る高圧水噴出工程を示した正面図である。高圧水噴出
工程は、高圧水噴出によってコンクリート等非鉄部分の破砕する工程である。穿孔工程を
終えた後、穿孔装置１００を取外し、高圧水加工装置２００を代わりに設置する。高圧水
加工装置２００は、コラムベース１２にラック付きコラム１１を立設し、そのラック付き
コラム１１には、高圧水供給管２４を回転自在に固定する供給管キャリッジ２６が設けら
れ、ハンドルにより供給管キャリッジ２６の位置を上下することができるようになってい
る。供給管キャリッジ２６の上方にある回転自在継手２７には、図示しない高圧水発生装
置からの高圧水が高圧ホース２８を通じて供給され、高圧水供給管２４は供給管キャリッ
ジ２６に対し、その軸心を中心に自在に回転することができる。加えて供給管キャリッジ
２６には供給管回転モータ２９が設置され、供給管キャリッジ２６内にある減速装置を介
して、高圧水供給管２４は電動で回転させることが可能な構造となっている。高圧水供給
管２４の下端には、整流器を設けたノズルボディー２２があり、その中で高圧水の推進方
向を９０度変換する。ノズルボディー２２には土留用残置杭１ａの半径方向に向かって１
本の高圧水噴出ノズル２１を設ける。高圧水噴出ノズル２１の長さは高圧水の噴出を整え
るため５０ｍｍ以上あることが望ましい。
【００２８】
このように、高圧水供給管２４をその軸線を中心に回転可能に設置しており、高圧水供
給管２４を回転させながら高圧水を噴出することができることにより、高圧水供給管２４
を有する高圧水加工装置２００を土留用残置杭１ａの周りを移動させながら加工する必要
が無くなり、コンクリート等の破砕工程を効率よく行うことができる。また、放射状にど
の方向に対しても同じ量のコンクリート等を破砕することが可能となる
【００２９】
また、高圧水供給管２４の回転を供給管回転モータ２９により行うことにより、高圧水
供給管２４を一定の回転で高速回転させることが可能となり、土留用残置杭１ａの全周に
亘って均等にコンクリート等を破砕できる。また、コンクリート等の破砕効率が一定であ
るため作業時間を管理するという簡易な方法により作業量を正確に把握できるようになり
、工程管理が容易になるとともに、供給する高圧水の水量を管理しやすくなり高圧水の水
量を制限することができる。
【００３０】
本実施形態においては、高圧水噴出ノズル２１はノズルボディー２２に一本のみ設けて
、高圧水の使用量を抑える構造としている。これは、過度の水量を供給することにより周
辺地盤の緩みを生じさせないためである。そのため高圧水噴出の反力により高圧水供給管
２４が大きく変形してしまう虞があるため、作業穴３と同径のセンター位置保持板２３を
作業穴３の内部に挿入すると共に、センター位置保持板２３の中心に設けた通孔に高圧水
供給管２４を嵌合する。加えてラック付きコラム１１と高圧水供給管２４の位置関係を保
持する供給管サポータ２５を作業穴３外部に設ける。センター位置保持板２３はウレタン
などの比重の小さい材料で製作され、高圧水供給管２４の回転時に回転の妨げとならない
ように、高圧水供給管２４との間、及び作業穴３との間に適度にスキマを設ける構造とす
る。即ち作業穴３と「同径」とは作業穴３よりも小さいが、高圧水供給管２４が大きくふ
れない程度のスキマがあることをいう。なお高圧水噴出ノズル２１の数は、高圧水発生装
置の能力や、コンクリートの破砕量によって変更することができ、２本設ける場合には１
８０度反対の向きに設けることが望ましい。
【００３１】
このように作業穴３と同径のセンター位置保持板２３を、作業穴３の内部に挿入すると
共に、その中心にある通孔に高圧水供給管２４を貫通して、高圧水供給管２４が作業穴３
の中心軸上に位置することにより、高圧水の噴出箇所が１箇所である場合であっても、高
圧水の反力により噴出方向と反対側に曲げられることがなくなり、その寿命を確保するこ
とができる。また、作業穴３内部の高圧水供給管２４の先端付近にセンター位置保持板２
３を設けているので、高圧水供給管２４の固有振動数を高くして、共振が生じるのを防止
することができる。加えて、ラック付きコラム１１と高圧水供給管２４の位置関係を保持
するため、作業穴３外部に供給管サポータ２４を設けることにより、高圧水供給管２４の
固有振動数をより高くして高圧水噴出工程を安定して実施することができる。
【００３２】
また、高圧水供給管２４は単位長さあたりの供給管の継ぎ足しで構成することもできる
。これにより土留用残置杭の撤去分の長さが長い場合には、複数の供給管を継ぎ足して高
圧水供給管２４として使用する。この場合には高圧水供給管２４全体を回転させるのでは
なく、回転自在継手２７を高圧水供給管２４の下端に設けると共に、高圧水噴出ノズル２
１からの噴出水の方向をずらすことにより、高圧水の噴出と共にノズルボディー２２の回
転を生じさせることも可能である。また、高圧水供給管２４を長くする場合にはセンター
位置保持板２３を複数設けることが好ましい。
【００３３】
このように高圧水供給管２４の先端を、高圧水供給管２４の軸線を中心として回転可能
に設置し、その先端を回転させながら高圧水を噴出することにより、高圧水供給管２４全
体を駆動するための大きな出力の駆動装置が不要になる。特に高圧水供給管２４が長くな
った場合に、システムを簡易化できる。
【００３４】
高圧水加工装置２００による加工を行う前に、土留用残置杭１ａの側面に養生のための
鉄板を埋め込み、高圧水がその周辺に影響を与えないようにする。その後、高圧水加工装
置２００は、まず隣接した未施工の土留用残置杭１ａに固定金具（アンカーボルト等）に
より固定する。
供給管キャリッジ２６にあるハンドルにより高圧水噴出ノズル２１の高さを微調整して、
所定の切断位置に高圧水噴出ノズル２１を移動させる。供給管回転モータ２９を駆動させ
ることにより高圧水噴出ノズル２１を含む高圧水供給管２４等を毎分２０回程度の速度で
回転させる。その後、高圧水発生装置からの高圧水を、高圧ホース２８・回転自在継手２
７・高圧水供給管２４・整流器のあるノズルボディー２２の順に通過させて、土留用残置
杭１ａの半径方向に、中心から外周に向けて放出しその水圧により土留用残置杭１ａのコ
ンクリート等非鉄部分を破砕することで、円板状除去空間６を形成するようにする。高圧
水としては通常のウォータージェットの作業に使用される18[MPa]のものが40[l/min]程度
供給され、供給された水は作業穴３の上部から排出されると共に、コンクリート破砕屑は
作業穴３の底に堆積するようになる。
【００３５】
なお、Ｈ形鋼を用いた土留用残置杭１ｂの場合も同じように、穿孔した２本の穴に高圧
水供給管２４等を差し込み、コンクリート等非鉄部分を高圧水により破砕するようになる
。
【００３６】
このような高圧水によるコンクリート等を破砕する高圧水噴出工程は、穿孔工程と同様
振動が格段に低減されると共に、騒音については局所的な騒音対策を施すことで対応が可
能となり、また水を使用することにより粉塵の発生を抑え、作業環境が悪化するのを防ぐ
ことができる。加えて土留用残置杭１ａの上面が露出しているだけで、高圧水加工装置
２００を設置しコンクリート等の破砕作業を行うことができるので、土留用残置杭１
ａの周辺への埋設物の有無にかかわらず作業を行うことができる。
【００３７】
図３は、本発明の一実施形態に係る土留用残置杭１ａに残存した鉄筋２をガスで溶断す
る溶断工程を示した正面図である。高圧水噴出工程により円板状除去空間６を形成した土
留用残置杭１ａには、鉄筋２が残存することになる。通常その鉄筋２は、先端を折り曲げ
たガス切断用バーナ３１を用いて、作業穴３よりガス切断を行う。
【００３８】
このような作業穴３からの溶断工程は、穿孔工程や高圧水噴出工程と同様騒音と振動を
格段に低減させることができる。また粉塵が発生することも無く、作業環境が悪化するこ
とはない。加えて土留用残置杭１ａの上面が露出しているだけで、作業穴３よりガス切断
用バーナ３１を用いて鉄筋２を切断することができるので、土留用残置杭１ａの周辺への
埋設物の有無にかかわらず作業を行うことができる。
【００３９】
なお、高圧水の中にガーネット等の砥粒成分を含有させ、土留用残置杭１ａの非鉄部分
を破砕すると同時に鉄部分を破断する工程を採用することも可能であるが、非鉄部分と異
なり鉄部分を破断するためには、非鉄部分を破断する場合の数倍の高圧水を使用する必要
がある。このように高圧水を過度に使用した場合には周辺地盤の緩みが生じ、地盤沈下を
起こす可能性があり、加えて砥粒成分を含有した排水を産業廃棄物として回収する必要が
生じるという問題や、土留用残置杭の周りにある埋設物を高圧水で傷つけるという問題が
ある。本実施形態にあるように高圧水噴出工程と溶断工程の二工程を設けることにより、
使用する高圧水の水量を抑えることが可能となり、砥粒成分を含有させて土留用残置杭を
破断する工程に比較して、地盤沈下等を生じないようにすることが可能となる。
【００４０】
土留用残置杭１ａの撤去部分を全て露出させることができる場合は、外周からガスで切
断したり、砥石を用いた切断工具で切断することも可能である。
【００４１】
Ｈ形鋼の鉄骨コンクリート５を用いた土留用残置杭１ｂの場合も同じように、穿孔した
２本の作業穴からガス切断用バーナ３１を差し込み、鉄骨を切断するようになる。
【００４２】
鉄筋の切断が終了すると、土留用残置杭１ａまたは１ｂの上部撤去部分が分離するので
、その部分をショベル等により取り除き、その後埋め戻し作業を行う。
【００４３】
発明の実施の形態として土留用残置杭１ａ、１ｂは埋設された状態のものを詳説したが
、埋設された状態のものだけでなく、設置時点において露出している土留用残置杭１ａ、
１ｂに対しても、本発明に係る工法を使用することで騒音・振動の低減、工程短縮などの
同様の効果を得ることができる。
【符号の説明】
【００４４】
１ａ  土留用残置杭（鉄筋を用いたもの）
１ｂ  土留用残置杭（Ｈ形鋼を用いたもの）
２  主鉄筋
２ａ  帯鉄筋
３  作業穴
４  柱状物上端面
５  Ｈ形鋼
６  円板状除去空間
１１  ラック付コラム
１２  コラムベース
１３  ドリルキャリッジ
１４  ドリル用コア
１５  ドリル本体
２１  高圧水噴出ノズル
２２  ノズルボディー
２３  センター位置保持板
２４  高圧水供給管
２５  供給管サポータ
２６  供給管キャリッジ
２７  回転自在継手
２８  高圧ホース
２９  供給管回転用モータ
３１  ガス切断用バーナ
１００  穿孔装置
２００  高圧水加工装置
【図１】
0005647591.tif 000002
【図２】
0005647591.tif 000003
【図３】
0005647591.tif 000004
【図４】
0005647591.tif 000005